(57)【要約】【課題】簡単に多品種、少量の生産が可能であると共に、薄い和紙のようなそれ自体では帽子としての形を整えることが出来ない素材であっても、確実に一定の帽子としての形を保持することが出来、しかも折り畳みもしやすい帽子。【解決手段】帽子は、弾性と可撓性を有する線状材３を冠部１の立体形状に従って配筋して骨組みを形成し、この線状材３の骨組みにシート材４を貼って少なくとも人の頭部に載せる冠部１を形成した。線状材３は、 螺旋状に配筋するか或いは複数のリング状のものを縦に列べて配筋し、骨組みを形成する。この骨組みに貼り付ける シート材４としては、和紙等の薄い腰のないものも使用することが出来る。また、線状材３を 螺旋状に配筋するか或いは複数のリング状のものを縦に列べて配筋し、骨組みを形成する。【選択図】図１
2011219882.tif 000002
【特許請求の範囲】
【請求項１】
シート材（４）により人の頭部に載せる冠部（１）を有する帽子において、弾性と可撓性を有する線状材（３）を冠部（１）の立体形状に従って配筋して骨組みを形成し、この線状材（３）の骨組みにシート材（４）を貼って少なくとも人の頭部に載せる冠部（１）を形成したことを特徴とする帽子。
【請求項２】
線状材（３）は、 螺旋状に配筋したことを特徴とする請求項１に記載の帽子。
【請求項３】
線状材（３）は、複数のリング状のものを縦に列べて配筋したことを特徴とする請求項１に記載の帽子。
【請求項４】
シート材（４）は紙であることを特徴とする請求項１〜３の何れかに記載の帽子。
【発明の詳細な説明】
【技術分野】
【０００１】
本発明は、人が頭部に被って使用する帽子に関し、弾性と可撓性を有する線状材を配筋して骨組みを形成し、この線状材の骨組みに紙や絹織物等の薄いシート材を貼って人が被る冠部を形成した帽子に関する。特に、厚手の布帛や板紙ではなく、薄いシート状のもの、例えば薄手の和紙や絹織物等でも作ることが出来る帽子に関する。
【背景技術】
【０００２】
従来の帽子は、主に布帛を使用して作られている。裁断した生地を立体縫製して人の頭部に被せる概ね半球形状の冠部とし、必要に応じてその周囲のツバ部（ひさし部）を形成している。また、帯状の生地を螺旋状に巻きながら冠部とツバ部を形成した、いわゆるブレード帽子というものもある。何れのものも、帽子として形を整えるために、厚手の布帛が使用される。
【０００３】
他方において、布帛ではなく、特殊な帽子として板紙やプラスチック板を使用した帽子もある。これらは、板紙やプラスチック板の裁断容易性、印刷容易性、接着容易性等の特性から、商品やサービスの販売或いは提供促進のための宣伝用として同時に多数のものを製造する必要がある帽子に適用されている。帽子としての形を整えるために、厚手の板紙やプラスチック板が多く使用されており、多くは短期間に使用する、いわゆる使い捨ての製品である。
【０００４】
従来において、薄い紙や絹織物等の薄手のシートを使用した帽子は存在しなかった。それは、その薄い紙や絹織物等の薄手のシート自体で帽子としての形を整えることが出来ず、外力を受けると簡単に変形してしまうため、帽子としての機能や体裁を保てないからである。従って、薄い紙や絹織物等の薄手のシート素材の持つ風合いを活かした帽子は、従来では存在し得なかった。
【先行技術文献】
【特許文献】
【０００５】
【特許文献１】特開２００６−１２４９０６号公報
【特許文献２】特開２００６−９７１４０号公報
【特許文献３】特開２００５−３３６６７０号公報
【特許文献４】特開２００５−１８７９９０号公報
【特許文献５】特開平８−１２７９１２号公報
【発明の開示】
【発明が解決しようとする課題】
【０００６】
本発明は、このような従来の帽子における課題に鑑み、簡単に多品種、少量の生産が可能であると共に、薄い和紙や絹織物のようなそれ自体では帽子としての形を整えることが出来ない素材であっても一定の帽子としての形を保持することが出来、しかも折り畳みもしやすい帽子を提供することを目的とする。
【課題を解決するための手段】
【０００７】
本発明では、前記の目的を達成するため、弾性と可撓性を有する線状材３を、螺旋状或いは複数のリング状のものを縦に列べて骨組みを形成し、この線状材３の骨組みにシート材４を貼って人の頭部に載せる冠部１を形成した。これにより、薄い和紙や絹織物等の薄手のシート材４でも帽子としての形を保持することが出来るようにすると共に、折り畳みを可能とした。
【０００８】
すなわち、本発明による帽子は、弾性と可撓性を有する線状材３を冠部１の立体形状に従って配筋して骨組みを形成し、この線状材３の骨組みにシート材４を貼って少なくとも人の頭部に載せる冠部１を形成した。線状材３は、 螺旋状に配筋するか或いは複数のリング状のものを縦に列べて配筋し、骨組みを形成する。
【０００９】
このような本発明による帽子では、弾性と可撓性を有する線状材３を冠部１の立体形状に従って配筋して骨組みを形成しているため、腰の無い和紙や絹織物等の薄手のシート材４を使用しても、帽子としての形、すなわち人が頭部に被る帽子の冠部１の形状を維持することが出来る。従って、この骨組みを形成する線状材３に貼り付ける シート材４としては、和紙や絹織物等の薄い腰のないシート材４も使用することが出来る。また、線状材３を 螺旋状に配筋するか或いは複数のリング状のものを縦に列べて配筋し、骨組みを形成することにより、線状材３の間のシート材４を折り曲げて、帽子の冠部１を、いわゆる蛇腹状に折り畳むことが出来る。
【発明の効果】
【００１０】
以上説明した通り、本発明によれば、腰のない薄いシート材４を使用して帽子の冠部１の形状を整えることが出来ると共に、折り畳むことが可能な帽子を得ることが出来る。これにより、薄い和紙や絹織物等のような従来では帽子の素材として使用することが出来なかった薄手のシート材４を使用して帽子を作ることが出来るようになる。よって、新たな感覚、風合いを持った独自意匠の帽子を提供することが可能となる。
【図面の簡単な説明】
【００１１】
【図１】本発明による帽子の第一の実施例を示す正面図である。
【図２】本発明による帽子の第一の実施例を示す縦断側面図である。
【図３】図２のＡ部拡大図である。
【図４】本発明による帽子の第一の実施例の製造法としての骨組みの配筋を示す正面図である。
【図５】本発明による帽子の第一の実施例の製造法としての骨組みに一部のシート材を貼った状態を示す正面図である。
【図６】本発明による帽子の第二の実施例を示す正面図である。
【図７】本発明による帽子の第二の実施例を示す縦断側面図である。
【発明を実施するための最良の形態】
【００１２】
本発明は、薄いシート材４を使用し、帽子としての体裁、形状の保持が可能であるのに加え、折り畳みが可能な帽子を得るために、弾性と可撓性を有する線状材３を、螺旋状或いは複数のリング状のものを縦に列べて骨組みを形成し、この線状材３の骨組みにシート材４を貼って人の頭部に載せる冠部１を形成した。
以下、本発明を実施するための最良の形態について、図面を参照しながら具体的且つ詳細に説明する。
【００１３】
図１〜図３は、本発明による帽子の一実施例を示している。図１と図２に示す帽子は、人の頭部に被せる逆カップ状の冠部１とその周囲から延設されたツバ部２とを有する、いわゆるハット形の帽子である。この他に帽子には、人の顔の前面上部の部分のみにツバ部２を有するキャップ形の帽子等があるが、本発明は何れの形態の帽子にも適用することが出来る。
【００１４】
この図１〜図３に示された帽子は、冠部１もツバ部２も骨組みを形成する線状材３と、この線状材３により形成された骨組みに貼られるシート材４とからなっている。
線状材３は、天然素材の竹線、合成樹脂線、金属撚線、金属単線等からなるフィラメント状のものであり、適当な弾力と可撓性を有する。この線状材３を帽子の形に従って、例えば螺旋状に巻いて、帽子の形状の冠部１の頂部からツバ部２の先端縁の部分までに配筋し、骨組みとする。
【００１５】
シート材４は、薄いプラスチックシート、薄紙、絹織物等からなり、これを前記骨組みを形成した線状材３の外側を包むように貼り付ける。例えば、シート材４を帽子の外面の各部分毎にセグメントとして分割した形状に裁断し、これを前記骨組みを形成した線状材３の外側に貼り付ける。さらに必要に応じて冠部１の頂部に頂部飾り５が取り付けられる。これにより、帽子が構成される。
【００１６】
図１と図２は、骨組みを形成した線状材３の外側にシート材４を貼り付けた状態の全体を示す外観図と断面図である。図１では、シート材４の陰に隠れて見えない骨組みとしての線状材３を破線で示している。図３は、図２のＡ部を拡大して示しており、この図３に示された通り、シート材４は線状材３の外面に貼られる。冠部１の頂部に設けた頂部飾り５は、冠部１の頂部におけるシート材４の頂部の集合部分や穴を隠すように取り付けられる。但し、この頂部飾り５は、必ずしも必要となる部材ではない。
【００１７】
このような構成を有する帽子は、シート材４が絹織物や和紙のような薄い素材であっても、弾性と可撓性を有する線状材３により形成される骨組みによって帽子としての形が保持され、型くずれしない。また、線状材３は、螺旋状に配筋されて骨組みが形成されているため、線状材３の間のシート材４を内側に折り曲げて、いわゆる蛇腹状に冠部１を折り畳むことも出来る。
【００１８】
図４と図５は、このような帽子の製造手順を示す図である。まず、図４で示すように、帽子の形に従った型枠６を作る。この型枠６は、複数の板状の枠材を放射状に列べて、その上下を固定具７、８で固定したものである。このように固定された複数の板状の枠材の外面に巻き付けるように、線状材３を螺旋状に配筋すると、骨組みが出来上がる。前述した通り、この骨組みは帽子の冠部１とツバ部２の形に従ったものである。
【００１９】
次に、型枠６に線状材３で形成された骨組みを保持したまま、その外側にシート材４を貼る。このシート材４は、予め帽子の外面の各部分毎に縦に複数に分割された形状に裁断されたセグメント片を、前記骨組みを形成した前記線状材３の外側に貼り付けていく。図５は線状材３で形成された骨組みの半分にシート材４のセグメント片を貼った状態を示す。この状態から線状材３で形成された骨組みの全面にわたってシート材４のセグメント片を貼ることにより、図１〜図３により前述したような帽子が完成する。
【００２０】
図６と図７は、本発明による帽子の他の実施例を示している。この図６と図７に示す帽子もまた、前述した帽子と同様に、人の頭部に被せる逆カップ状の冠部１とその周囲から延設されたツバ部２とを有する、いわゆるハット形の帽子である。但しこの帽子では、線状材３を螺旋状に配筋するのではなく、複数のリング状の線状材３を上下に列べて配置し、図６で点線で、図７で実線でそれぞれ示したような骨組みを形成する。この線状材３による骨組みの形成は、前述した帽子と同様に、型枠で保持した状態で行う。
【００２１】
この実施例では、その型枠については詳述しないが、図４と図５により前述した実施例の型枠と形状が異なるだけで、基本的には同じである。
さらに、この線状材３で形成された骨組みに、絹織物や和紙のような薄いシート材４を貼って帽子をを構成する。この図６と図７に示す帽子の骨組みと全体形状は図１〜図３に示した帽子と異なっているが、それ以外の構成は同じである。
【産業上の利用可能性】
【００２２】
本発明では、絹織物や和紙のような薄いシート材４を用いて、型くずれせず、しかも蛇腹状に冠部１を折り畳むことも出来る帽子を得ることが出来るので、厚手の布帛や板紙等と異なった意匠や風合いを有する帽子を提供することが出来る。これにより、帽子の製造分野でデザインの指向性を広げることが出来る。
【符号の説明】
【００２３】
１  冠部
２  つば部
３  線状材
４  シート材
【図１】
2011219882.tif 000003
【図２】
2011219882.tif 000004
【図３】
2011219882.tif 000005
【図４】
2011219882.tif 000006
【図５】
2011219882.tif 000007
【図６】
2011219882.tif 000008
【図７】
2011219882.tif 000009